(57)【要約】【課題】  ゴルフクラブのソール構造を提供することである。【解決手段】  本考案によるゴルフクラブのソール構造は、プレーヤがアドレスしたときに地面と実質的に面一をなす底面を備えたソールを有するゴルフクラブであって、前記底面が、三日月の形をしており、前記底面は、実質的に真っ直ぐであってソールのトレーリングエッジに実質的に隣接して位置する後方境界部と、クラブのリーディングエッジに向かって延びる前方境界部とを備えることを特徴とする。【選択図】      図４
0003111675.tif 000002
【実用新案登録請求の範囲】
【請求項１】
プレーヤがアドレスしたときに地面と実質的に面一をなす底面を備えたソールを有するゴルフクラブであって、前記底面が、三日月の形をしており、前記底面は、実質的に真っ直ぐであってソールのトレーリングエッジに実質的に隣接して位置する後方境界部と、クラブのリーディングエッジに向かって延びる前方境界部とを備える、ゴルフクラブ。
【請求項２】
前記底面の最前方の点が、前記クラブのトウとヒールとの間でソールの中間近くに位置決めされている、請求項１記載のゴルフクラブ。
【請求項３】
前記最前方の点と前記後方境界部との間の距離は、０．２５インチ（約６．３５mm）以上である、請求項２記載のゴルフクラブ。
【請求項４】
前記ソールがヒール面とトウ面とを有し、
前記ソールが、前記三日月形底面と、前記ヒール面と、前記トウ面との間に位置決めされた正の三日月バンス面を有する、
請求項１記載のゴルフクラブ。
【請求項５】
前記正の三日月形バンス面は、前記ソールの下縁に隣接した三日月の形をしている表面である、請求項４記載のゴルフクラブ。
【請求項６】
前記正の三日月形バンス面は、正のバンス角だけ地面から傾斜した実質的に平らな表面である、請求項５記載のゴルフクラブ。
【請求項７】
前記正のバンス角は、６°〜３０°であることを特徴とする請求項６記載のゴルフクラブ。
【請求項８】
前記正の三日月形バンス面は、２つの境界部である、前記ソールのリーディングエッジ近くに位置した前方境界部と、三日月形の表面を他の表面から分離する後方境界部とを有する、請求項５記載のゴルフクラブ。
【請求項９】
前記前方境界部は、実質的に真っ直ぐであって前記ソールのリーディングエッジに実質的に平行であり、前記後方境界部は、前記正の三日月形バンス面の幅が前記前方境界部から前記後方境界部まで測定したときに異なるように、湾曲され、前記正の三日月形バンス面の最も幅の広い箇所が、前記トウと前記ヒールとの間で前記ソールの中間近くにある、請求項８記載のゴルフクラブ。
【請求項１０】
前記三日月形底面は、シャフトが鉛直面内にあるときに、水平面とのなす角度が−４°〜＋４°の実質的に平らな表面である、請求項１記載のゴルフクラブ。
【請求項１１】
前記三日月形底面は、シャフトが鉛直面内にあるときに、水平面とのなす角度が−２°〜＋２°の実質的に平らな表面である、請求項１記載のゴルフクラブ。
【請求項１２】
プライマリーポイントを形成する前記三日月形底面の最前方点と、前記正の三日月形バンス面の最後方点とが、互いに実質的に隣接している、請求項８記載のゴルフクラブ。
【請求項１３】
前記クラブは、
４５°以上のロフトと、
前記三日月形底面の最前方点であるプライマリーポイントとを有し、該プライマリーポイントが、リーディングエッジを通る平面と、前記リーディングエッジから０．５５インチ（約１３．９７mm）の前記フェースを通る垂線との交点の、垂直方向下方の位置に、前記ヒールと前記トウとの間で前記クラブの中間に配置された、請求項１記載のゴルフクラブ。
【請求項１４】
前記リーディングエッジから０．５５インチ（約１３．９７mm）のところでフェースに垂直な線は、三日月形底面を通って延びることを特徴とする請求項８記載のゴルフクラブ。
【請求項１５】
プレーヤがアドレスしたときに地面と実質的に面一をなす底面を備えたソールを有するゴルフクラブのセットであって、底面は、三日月の形をし、底面は、実質的に真っ直ぐであってソールのトレーリングエッジに実質的に隣接して位置する後方境界部と、クラブのリーディングエッジに向かって延びる前方境界部とを備える、ゴルフクラブセット。
【請求項１６】
前記ゴルフクラブセットは、４６度よりも大きなロフトを持つアイアンを有する、請求項１５記載のゴルフクラブセット。
【請求項１７】
前記ゴルフクラブは各々、リーディングエッジを通る水平面とリーディングエッジから０．５５インチ（約１３．９７mm）の前記フロントフェースに対する垂線との交点の、実質的に下に配置された、前方境界部の最前方点であるプライマリーポイントを有する、請求項１５記載のゴルフクラブセット。
【請求項１８】
前記ゴルフクラブは各々、リーディングエッジを通る水平面と、４番目のスコアラインのところの、フロントフェースに対する垂線との交点よりも実質的に下に配置された、前方境界部上の最前方点であるプライマリーポイントを有する、請求項１５記載のゴルフクラブセット。
【請求項１９】
三日月形底面は各々、０．３インチ（約７．６２mm）よりも大きな最大幅を有する、請求項１５記載のゴルフクラブセット。
【請求項２０】
三日月形底面は各々、他のものと実質的に同一の最大幅を有する、請求項１５記載のゴルフクラブセット。
【請求項２１】
三日月形底面は各々、ソールの全幅の０．２倍以上の最大幅を有する、請求項１５記載のゴルフクラブセット。
【請求項２２】
ゴルフクラブは各々、ゴルフクラブセット全体を通じて実質的に一定のリーディングエッジ高さを有する、請求項１５記載のゴルフクラブセット。
【請求項２３】
ゴルフクラブは各々、０．２５インチ（約６．３５mm）以下のリーディングエッジ高さを有する、請求項１５記載のゴルフクラブセット。
【請求項２４】
ゴルフクラブは各々、１２°〜１５°のバンス角を有する、請求項１５記載のゴルフクラブセット。
【請求項２５】
ゴルフクラブは各々、ゴルフクラブセット全体を通じてアイアンのロフトの増大につれて増大するバンス角を有する、請求項１５記載のゴルフクラブセット。
【請求項２６】
ゴルフクラブは各々、リーディングエッジから０．５５インチ（約１３．９７mm）のフェースに対する垂線が前記三日月形底面を通って延びるように形作られている、請求項１５記載のゴルフクラブセット。
【請求項２７】
後方境界部は各々、リーディングエッジから垂直に０．７インチ（約１７．７８mm）のところに位置している、請求項１５記載のゴルフクラブセット。
【請求項２８】
ゴルフクラブは各々、ゴルフクラブセットを通じてゴルフクラブのロフトにつれて減少するバンス角を有する、請求項１５記載のゴルフクラブセット。
【請求項２９】
ゴルフクラブは各々、ゴルフクラブセット全体を通じて各ゴルフクラブのロフトにつれて増大する三日月形底面の最大幅を有する、請求項１５記載のゴルフクラブセット。
【請求項３０】
ゴルフクラブは各々、フロントフェースとトレーリングエッジとの間の距離の約１／２以上の三日月形底面の最大幅を有する、請求項１５記載のゴルフクラブセット。
【請求項３１】
フロントフェースとトレーリングエッジとの間の距離は、ゴルフクラブセットを通じて実質的に一定である、請求項３０記載のゴルフクラブセット。
【請求項３２】
ゴルフクラブは各々、各ゴルフクラブについてリーディングエッジ高さよりも大きな三日月形底面の最大幅を有する、請求項１５記載のゴルフクラブセット。
【請求項３３】
ゴルフクラブは各々、実質的一定のバンス角を有していることを特徴とする請求項１５記載のゴルフクラブセット。
【請求項３４】
ゴルフクラブは各々、フロントフェースからトレーリングエッジまで垂直に測定して、ゴルフクラブセット全体を通じて実質的に一定の距離を有していることを特徴とする請求項１５記載のゴルフクラブセット。
【請求項３５】
フロントフェースからトレーリングエッジまで垂直に測定した距離は、０．５インチ〜１インチ（約１２．７〜２５．４mm）である、請求項３４記載のゴルフクラブセット。
【請求項３６】
リーディングエッジと、該リーディングエッジに実質的に隣接した正のバンス面と、トレーリングエッジと、プレーヤがアドレスしたときに地面と実質的に面一をなす、前記トレーリングエッジに隣接した底面とを備えたソールを有し、前記底面が、三日月の形をしており、前記底面は、実質的に真っ直ぐであってソールのトレーリングエッジに実質的に隣接して位置する後方境界部と、前記ゴルフクラブの正のバンス面に向かって延びる前方境界部とを備える、ゴルフクラブ。
【請求項３７】
前記正のバンス面は、凸の曲率半径Ｒを有する、請求項３６記載のゴルフクラブ。
【請求項３８】
前記正のバンス面の半径は、１インチ（約２５．４mm）以上である、請求項３６記載のゴルフクラブ。
【請求項３９】
前記正のバンス面の半径は、フロントフェースと前記トレーリングエッジとの間の垂直距離の２倍以上である、請求項３６記載のゴルフクラブ。
【請求項４０】
前記正のバンス面の半径は、底面の最大幅の４倍以上である、請求項３６記載のゴルフクラブ。
【請求項４１】
前記ゴルフクラブは、４５°以上のロフト角度を有する、請求項３６記載のゴルフクラブ。
【考案の詳細な説明】
【技術分野】
【０００１】
本考案は一般にゴルフクラブに関し、特に、アイアンタイプのゴルフクラブのソールに関する。
【背景技術】
【０００２】
アイアンタイプのゴルフクラブは一般に、フロントフェース、トップライン及びソールを有している。フロントフェースは、ゴルフボールとインターフェースを取ってこれを打つ。スピンをかけやすいようにするために、複数のスコアライン又は溝がフロントフェースに設けられている。トップラインは一般に、ゴルファーに対して特定の外観をもたらすと共にウエートをもたらすよう形作られている。ゴルフクラブのソールは、ゴルフショットの際、地面に接触し、これと相互作用するのでゴルフショットにとって特に重要である。ゴルフクラブのソールは、ウェッジ、即ち、短いショットに用いられるクラブに特に重要である。ウェッジは一般に、４５°〜６０°のロフトを持っているが、これよりも大きい場合がある。
【０００３】
従来型ゴルフクラブは、種々の形状のフランジ又はソールを備えている。上述したように、ソールは、地面とインターフェースを取る。かくして、クラブの性能を最適化するための多くのソール形状がある。代表的には、クラブのソールは、クラブを地面に着けると、リーディングエッジが地面の上に位置し、トレーリングエッジも地面の上に位置するようにわずかに湾曲している。クラブのフロントに向かう曲率は一般に、跳ね返りをもたらす。跳ね返りは、クラブが地面に突き刺さらないようにするのに役立つと共にクラブのヘッドスピードを実質的に遅くする。トレーリングエッジに向かう曲率は一般に、クラブヘッドが、バックスイングの際、地面に引っ掛らないようにする。
【０００４】
種々の理由で、ウェッジには、典型的にはより大きなバンスが設けられる。第１の理由として、ウェッジは一般に、地面に向かって急な傾きをなしてスイングされ、したがって、地面に突き刺さる可能性が高い。第２の理由として、ウェッジは一般に、砂、ラフ及び硬盤層面を含む種々のタイプのグラウンドコンディションを想定している。かくして、ウェッジタイプのゴルフクラブのソールは、クラブの操作性および性能にとって重要である。
図１〜図３は、特にウェッジに用いられている幾つかの従来型ソール構造を表している。図１は、フロントフェース２、バックフェース３、ホーゼル４及びソール５を有するクラブヘッド１を示している。この構成例では、ソール５は、実質的に平らな表面である。
ホーゼルが図示のように鉛直面内にあると、延長部平面内にあると、ソールは、地面又は水平面からバンス角θだけ傾斜する。ソール５は、リーディングエッジＬＥ、トレーリングエッジＴＥ、接触点ＣＰを有している。図示のように、この構成例では、接触点ＣＰは、トレーリングエッジＴＥのところに位置している。ゴルフをクラブ１のアドレスに入ると、リーディングエッジＬＥは、リーディングエッジ高さＬＥＨだけ地面より上に位置し、クラブは、距離ｄｃだけリーディングエッジから間隔を置いた接触点ＣＰのところで地面を打つ。
【０００５】
次に図２を参照すると、クラブヘッド１は、フロントフェース２、バックフェース３、ホーゼル４及びソール５を有している。この構成例では、ソール５は、丸い表面である。
ホーゼルが図示のように鉛直面内にあると、延長部平面内にあると、ソールは、地面又は水平面からバンス角θだけ傾斜する。この構成例では、リーディングエッジＬＥは、図１のクラブとほぼ同じリーディングエッジ高さＬＥＨだけ地面の上に位置するが、接触点ＣＰは、リーディングエッジＬＥに非常に近い。即ち、接触点ＣＰまでの距離は短くなっている。
【０００６】
図３は、米国実用新案登録第５，５４９，２９６号から取ったものであり、かかる米国実用新案登録の開示内容を本明細書の一部を形成するものとして引用する。ソールＳは、クラブのリーディングエッジＬＥ近くに位置した正のバンス面１１０、ソール後面１１２、及び正のバンス面１１０とトレーリングエッジＴＥに隣接したソール後面１１２との間に位置する三日月形の表面１１１を有している。三日月形面１１１と正のバンス面１１０は共に、それぞれ正のバンス角θ１，θ２を有していて、リーディングエッジＬＥがリーディングエッジ高さＬＥＨだけ地面の上に位置するようになっている。ソール後面１１２は、負の逃げ角を有している。この図には明確に示されていないが、バンス面は、全体として真っ直ぐな前方境界部及びクラブの接触点ＣＰを形成する湾曲した後方境界部を有している。
【考案の開示】
【課題を解決するための手段】
【０００７】
本考案は、クラブの操作性を向上させるアイアンタイプのゴルフクラブの改良型ゴルフクラブソールに関する。本考案は、特にウェッジに有用である。
本考案は、プレーヤがアドレスに入ったときに地面と実質的に面一をなす底面を備えたソールを有するゴルフクラブに関する。底面は、三日月の形をしており、底面は、実質的に真っ直ぐであってソールのトレーリングエッジに実質的に隣接して位置する後方境界部と、クラブのリーディングエッジに向かって延びる前方境界部とを備えている。前方境界部の最前方の点は、トウとヒールとの間でソールの中間近くに位置するのが好ましい。
【０００８】
本考案はまた、４つの表面、即ち、正の三日月形バンス面、三日月形底面、ソールヒール面及びソールトウ面を備えたゴルフクラブに関する。正の三日月形バンス面は、クラブフェース又は打撃面のリーディングエッジに隣接した三日月の形をしている表面である。
正の三日月形バンス面は、正のバンス角だけ地面から傾斜した実質的に平らな表面である。正のバンス角は、水平面と角度をなしていて、好ましくは、６°〜３０°、より好ましくは、約１０°〜２０°である。しかしながら、正のバンス角は、プレーヤの好みに応じて様々であってよい。一般に、この角度は、クラブのロフトの量に見合って増大し、即ち、垂直からの打撃面の角度が大きくなれば大きくなるほどそれだけ一層正のバンス角が大きくなることが好ましい。しかしながら、多くのプレーヤは、自分の好みの特定の量のバンス角を持っている。かくして、バンス角は、プレーヤの特定の好みに合うように変えることことができ、また変えられる場合が多い。バンス面は、２つの境界部、即ち、ソールのリーディングエッジ近くに位置した前方境界部及び三日月形の表面を他の表面から分離する後方境界部を有している。好ましくは、前方境界部は、実質的に真っ直ぐであって、ソールのリーディングエッジに平行であり、後方境界部は、正の三日月形バンス面の最も幅の広い点が、トウとヒールとの間のソールの中間の近くに位置するように湾曲している。
【０００９】
第２の表面は、これまた実質的に平らな表面であり、ゴルファーがクラブのアドレスに入ったときに、地面と実質的に面一をなす三日月形の底面である。三日月形底面は一般に、シャフトが鉛直面内にあるときに水平面と−４°〜＋４°、好ましくは−２°〜＋２°の角度をなす平らな表面である。水平面とのなす角度は大抵の場合好ましくは０°であり、したがって表面は、クラブヘッドを安定化させるよう地面の上に平らに位置するが、特定のプレーヤの要望に合わせてわずかに変えることができるようになっている。また、三日月形底面は好ましくは、三日月の形をしている。この表面は、２つの境界部、即ち、クラブのトレーリングエッジのところ又はその近くに位置した実質的に真っ直ぐな後方境界部と、バンス面の最も幅の広い点が、トウとヒールとの間でソールの中央の近くに位置するようにクラブのフロントに向かって延びる湾曲した前方境界部とを有している。
【００１０】
三日月形底面の最前方点と正の三日月形バンス面の最後方点は、プライマリーポイントを形成するよう当接し、又はほぼ当接している。このプライマリーポイントは好ましくは、ボールを打った時に平らな表面が地面に押し込まれるような位置にある。好ましくは、この位置は、ゴルフクラブは各々、リーディングエッジを通る水平面とリーディングエッジから約０．５５インチのところでフロントフェースに垂直な線の交点よりも実質的に下に位置した前方境界部上の最前方点であるプライマリーポイントを有している。プライマリーポイントをプレーヤの特定の要望に合うように配置してもよいが、リーディングエッジから０．５５インチのところでフェースに垂直な線は好ましくは、三日月形底面を通って延びる。
【００１１】
三日月形底面の後方境界部は一般に、ソールのトレーリングエッジのところに設けられている。好ましくは、後方境界部は、これを通りフロントフェースに垂直な線が、リーディングエッジから０．５５インチ以上のところでフロントフェースを通って延びるようにゴルフクラブ上の点に配置されている。また、後方境界部は、ソール上のプライマリーポイントから０．２５インチ、好ましくは、プライマリーポイントから０．３インチ以上のところに設けられる。
【００１２】
本考案はまた、ロフトが４５°以上のアイアンセット、好ましくは、ウェッジアイアンに関する。好ましいゴルフクラブセットでは、ウェッジは各々、リーディングエッジを有する平面とリーディングエッジから０．５５インチのところでフロントフェースに垂直な線の交点の交点よりもほんの少し下のところに位置したプライマリーポイントを有している。別の好ましいウェッジアイアンセットでは、各ウェッジの後方境界部は、リーディングエッジから垂直に約０．７インチのところの点にある。別の好ましいゴルフクラブセットでは、リーディングエッジ高さは一定である。さらに別の好ましいゴルフクラブセットでは、バンス角は一定である。
【考案を実施するための最良の形態】
【００１３】
図４〜図６を参照すると、本考案は、フロントフェース１１、ヒール１２、トウ１３、ホーゼル１４、ソール１５及びバックフェース１６を有するゴルフクラブ１０に関している。ソール１５は、プレーヤがアドレスに入ったときに地面と実質的に面一をなす底面１７を有している。即ち、プレーヤがボールに対してクラブのアドレスに入ってホーゼルが実質的に鉛直面内に且つ図６及び図４にそれぞれ示すような適正なライ（lie）角度で位置すると、底面１７は地面と実質的に面一をなす。標準型クラブの場合、この底面１７は、実質的に平ら又はフラットであり、この表面を通る鉛直面に対してほぼ又は実際に垂直であることが必要である。しかしながら、特注のクラブの場合、底面１７はプレーヤがボールをアドレスする仕方に応じて傾斜したものがある。かくして、ホーゼル１４が鉛直面内にあるとき、底面１７は好ましくは、−４°〜＋４°、好ましくは−２°〜＋２°の角度をなす。最も好ましくは、底面１７は、プレーヤがアドレスに入ったときに、地面と面一をなすよう実質的に水平面内にある。
【００１４】
底面１７は、好ましくは、三日月の形をしており、この底面は、実質的に真っ直ぐであって、ソールのトレーリングエッジＴＥに隣接して位置する後方境界部１８及びクラブ１０のリーディングエッジＬＥに向かって延びる前方境界部１９を備えている。好ましくは、前方境界部１９の最も前方に位置する点、即ちプライマリーポイントＰＰは、トウ１３とヒール１２との間でソール１５の実質的にほぼ中間又は実質的に中間に位置している。
【００１５】
本考案の最も好ましい実施形態では、ゴルフクラブ１０は、４つの表面、即ち、正の三日月形バンス面２０、三日月形底面１７、ヒール面２１及びトウ面２０にを有するソールで構成されている。
【００１６】
正の三日月形バンス面２０は、クラブフェース又は打撃面１１のリーディングエッジＬＥに隣接した三日月形の表面である。正の三日月形バンス面２０は、フロントからバックに向かって僅かに凸又は凹の曲率を備えていて、地面から正のバンス角θだけ傾斜した実質的に平らな表面である。正のバンス角は、水平面又は地面とのなす角度であり、好ましくは１０°〜２０°である。しかしながら、正のバンス角θは、プレーヤの好みに応じて様々であってよい。一般に、この角度は、クラブのロフトの量に見合って増大し、即ち、垂直からの打撃面の角度が大きくなれば大きくなるほどそれだけ一層正のバンス角θが大きくなることが好ましい。しかしながら、多くのプレーヤは、自分の好みの特定の量のバンス角を持っている。かくして、バンス角θは、プレーヤの特定の好みに合うように変えることことができ、また変えられる場合が多い。
【００１７】
正の三日月形はね返り面２０は、クラブフェースのリーディングエッジＬＥの近くに位置した前方境界部２３及び正の三日月型はね返り面２０を他の面１７，２１，２２から分離する後方境界部２４を有している。好ましくは、前方境界部２３は、実質的に真っ直ぐであって、クラブフェースのリーディングエッジＬＥにほぼ平行であり、後方境界部２４は、三日月形面の最も幅の広い箇所が、トウ１３とヒール１２との間のクラブソール１５の中央の近くに位置するように湾曲している。
【００１８】
三日月形底面１７の最前方点、即ちプライマリーポイントＰＰと正の三日月形バンス面２０の最後方点は、プライマリーポイントＰＰのところで当接し又は当接しているといってよいほどの状態になっている。このプライマリーポイントＰＰは好ましくは、リーディングエッジＬＥから距離Ｘのところに位置していて、ボールを打った時に、底面が地面に押し込まれるようになっている。好ましくは、この位置は、リーディングエッジＬＥを通るリーディングエッジ平面ＬＥＰとリーディングエッジから約０．５５インチ（約１３．９７mm）のところ又は４番目のスコアラインのところでフェースを通る垂直線との交点の垂直方向下の位置のところにある。プライマリーポイントＰＰを、プレーヤの特定の要望に合うように位置決めしてもよいが、リーディングエッジＬＥから０．５５インチのところ又は４番目のスコアラインのところでのフェースに対する垂直線は好ましくは、ロフトの高いクラブの場合、三日月形底面１７を通って延びる。一般に、距離Ｘは、約０．５インチ（約１２．７mm）以上であり、より好ましくは、距離Ｘは、約０．５５インチ〜０．８インチ（約１３．９７〜２０．３２mm）である。
【００１９】
三日月形底面１７の後方境界部１８は一般に、ソールのトレーリングエッジＴＥのところ又はこれに非常に近いところに位置している。好ましくは、後方境界部１８は、後方境界部を通りフロントフェースに垂直な線が、リーディングエッジＬＥから０．５５インチ以上のところ又は４番目のスコアラインの後ろでフロントフェースを通って延びるようにクラブソール１５上の点のところに位置している。また、後方境界部１８は好ましくは、ソール１５上のプライマリーポイントＰＰから約０．２５インチ（約６．３５mm）以上、より好ましくはプライマリーポイントＰＰから約０．３インチ（約７．６２mm）以上の距離Ｙのところに位置している。
【００２０】
三日月形底面１７及び正のバンス面２０はまた、トウ面２２をヒール面２１から分離している。これら表面は好ましくは、ヒール１２及びトウ１３に垂直方向の逃げ部を構成して、三日月形底面１７から遠ざかる方向への地面からの力が殆ど無いように中心から上方に湾曲している。かかる逃げ部は、三日月形底面１７の前方境界部１９に沿う接触領域の端部が、ヒール面２１及びトウ面２２の最も下に位置する点であることを意味している。
【００２１】
図７を参照すると、ゴルフクラブ１０は、図１に示す平らなソールのクラブと類似しているが、三日月形底面１１を有している。かくして、このクラブ１０の横断面は、図６と実質的に同一であり、前方境界部１９、後方境界部１８及びプライマリーポイントＰＰの位置決めに関し、図４〜図６に示す第１の実施形態に関する説明は全てこの実施形態に当てはまる。
【００２２】
本考案は又、ロフトが４５°以上のアイアン、好ましくはウェッジタイプのアイアンセットに関する。好ましいアイアンセットでは、図８〜図１１に示し、表Ｉに記載されているように、ウェッジは各々、例えば図４〜図７に示すような形状のソール１５を有している。このセットのクラブヘッドは各々、リーディングエッジを通る平面ＬＥＰとリーディングエッジから０．５５インチ又は４番目のスコアラインのところでフロントフェースに垂直な線との交点のところ又はそのすぐ下のところに位置したプライマリーポイントＰＰを有している。さらに、ウェッジタイプのアイアンは各々、実質的に同一であって、約０．３インチ以上の三日月形底面の最大幅ｄ１  を有している。本願において、底面又は三日月形底面の「幅」は、クラブヘッドの前後方向における長さを意味する。また、三日月形底面の最大幅ｄ１は、ソールの全幅ｄ２の０．２倍以上である。この実施形態では、リーディングエッジ高さＬＥＨは、クラブセット全体を通じて実質的に一定であって、０．２５インチ以下である。クラブの各々についてのバンス角θは、１２°〜１５°であり、クラブセット全体を通じて、アイアンのロフトの増大につれて増大する。最後に、トレーリングエッジＴＥとフロントフェースとの間の垂直方向距離ｄ３は、クラブセットのアイアンの各々について１．０インチ（２５．４mm）以下であり、好ましくは、クラブセット全体を通じてアイアンのロフトにつれて減少する。このセット中のアイアンの各々に関し、リーディングエッジから０．５５インチのところ又は４番目のスコアラインのところでのフェースに対する垂直線は、三日月形底面１７を通って延びる。
【００２３】
［表１］
表  Ｉ
図  番    ロフト    ｄ１    ｄ２    ｄ３    θ      ＬＥＨ
８      ５４°    0.31″  1.04″  0.80″  13.2°  0.22″
９      ５６°    0.31″  1.03″  0.78″  13.3°  0.22″
１０      ５８°    0.31″  1.01″  0.75″  13.3°  0.22″
１１      ６０°    0.31″  1.00″  0.70″  14.0°  0.22″
なお上表において、″は、インチを意味する。
【００２４】
表ＩＩ及び図１２〜図１５を参照すると、トレーリングエッジＴＥを有する別の好ましいウェッジアイアンセットが示されており、各ウェッジは、リーディングエッジから垂直に約０．７インチ（約１７．７８mm）の距離ｄ３のところに位置している。このセットでは、三日月形底面１７の最大幅ｄ１は、セット全体を通じて実質的に一定であって、約０．２５インチ（約６．３５mm）以上である。さらに、三日月形底面の最大幅ｄ１は、ソールの最大幅ｄ２の０．３倍以上である。このセットでは、バンス角θは、クラブのロフトにつれて減少し、好ましくは、約１３°〜約２０°の範囲にある。上述のセットの場合と同様に、リーディングエッジ高さＬＥＨは、実質的に一定であって、約０．２５インチ以下である。
【００２５】
［表２］
表  ＩＩ
図  番    ロフト    ｄ１    ｄ２    ｄ３    θ      ＬＥＨ
１２      ５４°    0.31″  0.87″  0.7 ″  18.2°  0.22″
１３      ５６°    0.31″  0.90″  0.7 ″  17.3°  0.22″
１４      ５８°    0.31″  0.94″  0.7 ″  16.0°  0.22″
１５      ６０°    0.31″  0.99″  0.7 ″  14.0°  0.22″
なお上表において、″は、インチを意味する。
【００２６】
次に、表ＩＩＩ及び図１６〜図１９を参照すると、別の好ましいウェッジアイアンセットが、各クラブのロフトにつれて増大する三日月形底面１７の最大幅ｄ１を有している。
各クラブの三日月形底面１７の最大幅ｄ１は、０．３インチ（７．６２mm）以上であり、好ましくは、約０．３〜０．５インチである。さらに、三日月形底面１７の最大幅ｄ１は、フロントフェースとトレーリングエッジＴＥとの間の距離ｄ３の約１／２以上である。
フロントフェースとトレーリングエッジＴＥとの間の距離ｄ３は実質的に一定である。バンス角θは好ましくは、１２°〜１５°であり、リーディングエッジ高さＬＥＨは、約０．２５インチ以下の高さのところでは実質的に一定である。好ましくは、三日月形底面１７の最大幅ｄ１は、リーディングエッジ高さＬＥＨよりも大きい。
【００２７】
［表３］
表  ＩＩＩ
図  番    ロフト    ｄ１    ｄ３    θ      ＬＥＨ
１６      ５４°    0.33″  0.75″  14.0°  0.22″
１７      ５６°    0.36″  0.75″  13.2°  0.22″
１８      ５８°    0.38″  0.75″  13.3°  0.22″
１９      ６０°    0.41″  0.75″  13.0°  0.22″
なお上表において、″は、インチを意味する。
【００２８】
次に、表ＩＶ及び図２０〜図２３を参照すると、別の好ましいウェッジアイアンセットが、実質的に一定のバンス角θを有している。好ましくは、バンス角θは、約１２°〜２０°である。より好ましくは、バンス角θは、１２°〜１５°である。また、フロントフェースからトレーリングエッジＴＥまでの距離ｄ３は、実質的に一定のままであり、約０．５インチ〜１インチであることが好ましい。より好ましくは、三日月形底面の最大幅ｄ１を変え、リーディングエッジ高さＬＥＨを変えて、一定のバンス角θ及びフロントフェースからトレーリングエッジＴＥまでの距離ｄ３を維持する。しかしながら、リーディングエッジ高さＬＥＨは各クラブについて約０．２５インチ以下であり、三日月形底面の最大幅ｄ１は、約０．２５インチ以上であることが好ましい。
【００２９】
［表４］
表  ＩＶ
図  番    ロフト    ｄ１    ｄ３    θ      ＬＥＨ
２０      ５４°    0.33″  0.75″  14.0°  0.22″
２１      ５６°    0.33″  0.75″  14.0°  0.23″
２２      ５８°    0.36″  0.75″  14.0°  0.24″
２３      ６０°    0.40″  0.75″  14.0°  0.24″
なお上表において、″は、インチを意味する。
【００３０】
表Ｉ〜表ＩＶ及び図８〜図２８に示されたクラブは各々、本考案の個々のクラブの代表例であり、これらクラブを他のクラブと組み合わせて別の新たなセット形成してもよいことは理解されよう。本願における教示及びプレーヤの好みに応じて、当業者であれば本考案の範囲に属する種々のクラブ又はクラブセットを構成することができる。かくして、ゴルフクラブセットに関する上記の開示は、好ましい実施形態の例を示すものであって、実用新案登録請求の範囲に記載された本考案の範囲を限定するものではない。さらに、上述のセットは各々４本のアイアンを含んでいるが、「セット」という用語は２本又は３本以上のクラブを意味している。また、上述のセットはウェッジタイプのアイアンについてのものであるが、本願における教示は例えば米国実用新案登録第５，５４９，２９６号に教示されているようなアイアンセット一式に適用できることは明らかである。
【００３１】
図２４を参照すると、本考案の別の好ましい実施形態は、凸の曲率半径Ｒを有する上反りの正のはね返り面２０を有するのがよい。最も好ましくは、正のバンス面２０の曲率半径Ｒは、約１インチ以上であり、好ましくは、約１．５インチ〜２．５インチ（約３．８１〜６．３５cm）である。図２４に示すクラブの正のはね返り面の曲率半径Ｒは、約２インチ（約５．０８cm）である。また、曲率半径Ｒは好ましくは、フロントフェースとトレーリングエッジＴＥとの間の距離ｄ３（図８〜図２３に示すように）の２倍以上であり、三日月形底面の最大幅ｄ１の４倍以上である。上述のクラブヘッドは各々、上反りの正のはね返り面２０及びこれと類似した凹の曲率半径を有していてもよい。
【図面の簡単な説明】
【００３２】
【図１】実質的に平らなソールを有する従来型ゴルフクラブの断面図である。
【図２】実質的に丸いソールを有する従来型ゴルフクラブの断面図である。
【図３】実質的に平らで三日月の形をした表面を有する従来型ゴルフクラブの断面図である。
【図４】本考案のソールを有するゴルフクラブの正面図である。
【図５】図４のゴルフクラブの底面図である。
【図６】図４のゴルフクラブの断面図である。
【図７】本考案のソールを有するゴルフクラブの第２の実施形態の底面図である。
【図８】本考案のソールを有するゴルフクラブの実施形態の断面図である。
【図９】本考案のソールを有するゴルフクラブの実施形態の断面図である。
【図１０】本考案のソールを有するゴルフクラブの実施形態の断面図である。
【図１１】本考案のソールを有するゴルフクラブの実施形態の断面図である。
【図１２】本考案のソールを有するゴルフクラブの実施形態の断面図である。
【図１３】本考案のソールを有するゴルフクラブの実施形態の断面図である。
【図１４】本考案のソールを有するゴルフクラブの実施形態の断面図である。
【図１５】本考案のソールを有するゴルフクラブの実施形態の断面図である。
【図１６】本考案のソールの別の実施形態の一部を誇張して示す断面図である。
【図１７】本考案のソールを有するゴルフクラブの実施形態の断面図である。
【図１８】本考案のソールを有するゴルフクラブの実施形態の断面図である。
【図１９】本考案のソールを有するゴルフクラブの実施形態の断面図である。
【図２０】本考案のソールを有するゴルフクラブの実施形態の断面図である。
【図２１】本考案のソールを有するゴルフクラブの実施形態の断面図である。
【図２２】本考案のソールを有するゴルフクラブの実施形態の断面図である。
【図２３】本考案のソールを有するゴルフクラブの実施形態の断面図である。
【図２４】本考案のソールを有するゴルフクラブの別の実施形態を誇張して示す断面図である。
【符号の説明】
【００３３】
１０  ゴルフクラブ
１１  フロントフェース
１２  ヒール
１３  トウ
１４  ホーゼル
１５  ソール
１６  バックフェース
１７  三日月形の表面
１８  後方境界部又は境界線
２０  正のバンス面
２１  ヒール面
２２  トウ面
２３  前方境界部又は境界線
２４  後方境界部又は境界線
【図１】
0003111675.tif 000003
【図２】
0003111675.tif 000004
【図３】
0003111675.tif 000005
【図４】
0003111675.tif 000006
【図５】
0003111675.tif 000007
【図６】
0003111675.tif 000008
【図７】
0003111675.tif 000009
【図８】
0003111675.tif 000010
【図９】
0003111675.tif 000011
【図１０】
0003111675.tif 000012
【図１１】
0003111675.tif 000013
【図１２】
0003111675.tif 000014
【図１３】
0003111675.tif 000015
【図１４】
0003111675.tif 000016
【図１５】
0003111675.tif 000017
【図１６】
0003111675.tif 000018
【図１７】
0003111675.tif 000019
【図１８】
0003111675.tif 000020
【図１９】
0003111675.tif 000021
【図２０】
0003111675.tif 000022
【図２１】
0003111675.tif 000023
【図２２】
0003111675.tif 000024
【図２３】
0003111675.tif 000025
【図２４】
0003111675.tif 000026